(57)【特許請求の範囲】
【請求項１】
少なくとも１つの指令卓と、少なくとも１つの常設基地局と、複数の移動局より構成されたＳＣＰＣ（Single Channel Par Carrier）方式のデジタル移動無線システムにおいて、
前記少なくとも１つの常設基地局の無線エリアと重なる無線エリアとする位置に臨時基地局を設置し、
該臨時基地局は、前記常設基地局は使用する第１の無線チャネルとは異なる第２の無線チャネルを設定し、
前記複数の移動局は、前記第１の無線チャネルを使用する少なくとも１台の移動局と、応援として派遣された前記第２の無線チャネルを使用する少なくとも１台の応援移動局とを備え、
該臨時基地局と前記常設基地局とを接続して、前記常設基地局を介して前記指令卓より該臨時基地局に基地局コードを付与し、前記指令卓または前記第１の無線チャネルを使用する前記移動局と前記応援移動局とが通信を行うことを特徴とするデジタル移動無線システム。
【請求項２】
前記臨時基地局は、電力増幅部と、送受信部と、共用器と、操作部と、電源部と、インタフェース部と、制御部とより構成され、
前記共用器を介して送受信アンテナに接続され、
前記制御部はチャネル切替機能を含み、前記操作部の操作に従ってあらかじめ設定された複数の無線チャネルより所望の無線チャネルを選択して設定することを特徴とする前記請求項１に記載のデジタル移動無線システム。
【発明の詳細な説明】
【技術分野】
【０００１】
本発明は、デジタル移動無線システムに関し、特に、ＳＣＰＣ（Single Channel Par Carrier）方式のデジタル移動無線システム及び無線基地局に関するものである。
【背景技術】
【０００２】
図４は、従来のＳＣＰＣ方式のデジタル移動無線システムの一例を示す。
本図において、１１は複数の指令卓、１３は少なくとも１つの基地局、１２は指令卓と基地局の接続を切り替える切替装置、１４は移動局（通常、複数台）、１６は基地局１３の無線サービスエリア、である。
ここで、基地局が複数設置されている場合には、隣接する基地局では異なるチャネル（周波数帯域）が使用される。
このようなシステムとすることで、広範囲なエリアをカバーした運用も可能なシステムである。
また、基地局１３の基地局エリア１６は隣接する他基地局との干渉を考慮し、エリアシミュレーションや周波数配置計算などにより求められ、配置分布されている。
【０００３】
１つの基地局に割り当てられるチャネル周波数は通常、基地局１３から移動局１４への下り周波数（Ｆ１）と、その逆の上り周波数（ｆ１）の１組の基地局周波数１７である。
また、基地局エリア外に移動局１４がある場合には、移動局間直接通信周波数１８（ｆ０）を用いて、移動局同士が電波到達範囲内に位置する場合に通信を可能とする。
【０００４】
各指令卓１１は各事業所や所望の場所にそれぞれ設置され、移動局１４との通信時は切替装置１２を経由し基地局１３を用いて送受話することになる。
すなわち、指令卓１１は切替装置１２を介して基地局１３と１対１で接続されると、接続された基地局の無線サービスエリア内の移動局との通信（通話）が可能である。
また、指令卓１１は切替装置１２を介して複数の基地局１３と１対ｎで接続されると、接続された基地局の無線サービスエリア内の移動局とのグループ通話が可能である。
また、同一の基地局エリア内の移動局同士は当該基地局１３を介して通話が可能である。
また、異なる基地局エリアにある移動局同士は、各基地局と切替装置１２を介して通話が可能である。
【０００５】
従来のＳＣＰＣ方式のデジタル移動無線システムとして、例えば非特許文献１に示すものがある。
【０００６】
【非特許文献１】狭帯域デジタル通信方式 (SCPC/FDMA) 標準規格 ARIB STD-T61  社団法人電波産業会
【発明の開示】
【発明が解決しようとする課題】
【０００７】
しかしながら、上述した従来のシステムは、例えば１つの基地局１３あたりに配置される移動局１４の台数が各事業所などの予算、人員などにより限られた台数であって、このため、本基地局エリア１６内にて緊急時などの場合に移動局１４の台数が不足してしまうという問題点があった。
また、災害などの発生により基地局１３そのものが故障した場合に当該基地局エリア１６内にある移動局が通信不可能となってしまう可能性もあり、このような災害時の対応を技術的に解決する必要があった。
【０００８】
本発明は、このような従来の事情に鑑み為されたもので、１つの基地局エリア内にて緊急時などの場合に移動局の台数が不足してしまうという問題点を解決し、また、基地局そのものが故障した場合に当該基地局エリア内にある移動局が通信不可能となってしまうことを防ぐことのできるデジタル移動無線システム及びそれに用いる無線基地局を提供することを目的とする。
【課題を解決するための手段】
【００１０】
上記従来の問題点を解決するため請求項１に記載の発明は、少なくとも１つの指令卓と、少なくとも１つの常設基地局と、複数の移動局より構成されたＳＣＰＣ（Single Channel Par Carrier）方式のデジタル移動無線システムにおいて、前記少なくとも１つの常設基地局の無線エリアと重なる無線エリアとする位置に臨時基地局を設置し、前記複数の移動局は、前記第１の無線チャネルを使用する少なくとも１台の移動局と、応援として派遣された前記第２の無線チャネルを使用する少なくとも１台の応援移動局とを備え、該臨時基地局と前記常設基地局とを接続して、前記常設基地局を介して前記指令卓より該臨時基地局に基地局コードを付与し、前記指令卓または前記第１の無線チャネルを使用する前記移動局と前記応援移動局とが通信を行うことを特徴とする。
【００１１】
上記従来の問題点を解決するため請求項２に記載の発明は、前記請求項１に記載のデジタル移動無線システムであって、前記臨時基地局は、電力増幅部と、送受信部と、共用器と、操作部と、電源部と、インタフェース部と、制御部とより構成され、前記共用器を介して送受信アンテナに接続され、前記制御部はチャネル切替機能を含み、前記操作部の操作に従ってあらかじめ設定された複数の無線チャネルより所望の無線チャネルを選択して設定することを特徴とする。
【発明の効果】
【００１２】
本発明によると、１つの基地局エリア内にて緊急時などの場合に移動局の台数が不足してしまうという問題点を解決し、また、基地局そのものが故障した場合に当該基地局エリア内にある移動局が通信不可能となってしまうことを防ぐことのできるデジタル移動無線システム及びそれに用いる無線基地局を提供することができる。
【発明を実施するための最良の形態】
【００１３】
本発明に係る実施の形態を図面を参照しながら説明する。
図２は、本発明の実施の形態に係るＳＣＰＣ方式のデジタル移動無線システムの第１実施例（応援）を示す。
本図において、１１は複数の指令卓、１３は１つの基地局、１２は指令卓と基地局の接続を切り替える切替装置、２０は臨時基地局、１４および１５は複数の移動局、１６は基地局１３の無線サービスエリア、１９は臨時基地局２０の無線サービスエリア、である。
ここで、臨時基地局２０は基地局１３の無線サービスエリアとほぼ重なるエリアをカバーするように、基地局１３の近傍または無線サービスエリア１６内に配置する。
そして、臨時基地局２０は、基地局１３が使用する基地局周波数１７（Ｆ１、ｆ１）とは異なる基地局周波数１８（Ｆ２、ｆ２）を設定し、臨時局エリア１９という無線エリアを確立することで、当該基地局周波数１８（Ｆ２、ｆ２）を使用する移動局１５が基地局エリア１６内に在っても通信を行うことができる。
【００１４】
この第１実施例のシステムの場合の運用形態としては、例えば、通常運用している基地局１３の基地局エリア１６において災害などが発生したとする。
応援として移動局１５が数台派遣される場合、臨時基地局２０を通常の基地局１３とは別の場所（基地局エリア１６内）に設置し、設定周波数を基地局周波数１７（Ｆ１、ｆ１）とは別の臨時基地局周波数２１（Ｆ２、ｆ２）に設定し、臨時基地局エリア１９を確立する。
そして、臨時基地局２０は移動局１５とのプレストーク通信、応援の各移動局１５間の臨時基地局折り返し通話が可能となる。
このように、臨時基地局２０を仮設することにより、非常災害時の応援などで回線数が増加し、トラフィックが輻輳するような状況を回避することができる。
【００１５】
図１は、本発明の実施の形態に係る臨時基地局の実施例を示す。
臨時基地局２０は、基本的には電力増幅部（ＰＡ部）２、送受信部３、操作部４、電源部５、制御部８で構成されており、制御部８はチャネル切替機能を含み、また、冷却用のＦＡＮ１でＰＡ部２を冷却する。
また、送受信部３は、送信部と受信部があって、送信部はＰＡ部２により増幅されて共用器７を介して外付けの送受信アンテナに接続され、また、共用器を介して受信部と前記送受信アンテナが接続される。
外部インターフェース（ＩＦ）部６は、他の基地局（図２では基地局１３）と接続するためのコネクタや、ＡＣ１００Ｖ電源を接続するコネクタがある。
また、本図１ではスピーカやマイクが内蔵されているが、外付けの場合には外部ＩＦ部６を介して接続される。
また、この臨時基地局はジェラルミンケース等に各部が収納され、台車や自動車により持ち運び可能とし、送受信アンテナや外付けのマイクやスピーカと接続するように構成される。
なお、外部ＩＦ６により他の基地局１３と本臨時基地局２０を接続した場合には、基地局１３を介して指令卓１１より臨時基地局２０に基地局コードを付与することができ、他の基地局エリア内の移動局や指令卓と、応援移動局１５との通信を可能とすることができる。
【００１６】
操作部４では、前述した図２の指令卓と同等若しくは簡易的な指令操作を行うようにスイッチやキーパネル、表示部などが含まれる。
そして、例えば、臨時基地局２０の常送／非常送を切り替えることができ、またダイヤルＳＷなどにより、あらかじめプリセットしておいた１０ｃｈ程度の基地局周波数より１つの指定周波数を設定することで、制御部に対してチャネル切替を行わせることができる。
チャネル切替機能は、前述した１０ｃｈ程度の指定周波数をメモリテーブルに記憶しておき、操作部（ダイヤルＳＷ）によりチャネル切り替えがされると、該切り替えに応じて、メモリテーブルの所望のチャネルが選択され、選択されたチャネルに応じて所望の帯域に設定されるようにシンセサイザによりフィルタ等の帯域をずらす調整が行われる。
ここで、通常は常に電波を発信している常送モードで使用することになるため、例えば運用途中で周波数ｃｈを変更する際はダイヤルＳＷを変化させて、設定ｃｈが確定すると自動的にシステムリセットを実行し、使用周波数を確定する方式をとる。
【００１７】
図５は、本発明の実施の形態に係るＳＣＰＣ方式のデジタル移動無線システムの第２実施例（代替）を示す。
この第２実施例のシステムの場合の運用形態としては、例えば、通常運用している基地局１３が災害や故障などにより運用不可となった場合に、臨時基地局２０を基地局１３の無線サービスエリア１６とほぼ重なるエリアをカバーするように、基地局１３の近傍または無線サービスエリア１６内に配置する。
そして、臨時基地局２０は、基地局１３が使用する基地局周波数１７（Ｆ１、ｆ１）と同じ基地局周波数１７を設定し、基地局エリア１６と同等の臨時局エリア１９という無線エリアを確立することができる。
また、外部ＩＦ６により基地局１３の代わりに本臨時基地局２０を接続した場合には、指令卓１１より臨時基地局２０に基地局１３の代替となるコードを付与することができ、他の基地局エリア内の移動局や指令卓と、移動局１４との通信を可能とすることができる。
【００１８】
図３は、本発明の実施の形態に係る固定設置された（通常の）基地局１３の実施例を示す。
この基地局無線装置１３は、図示しない送受信アンテナと、共用部３１、ＰＡ部３３、ＴＲＸ部３４の無線系と、自局の制御を行う制御部３５、切替え装置１２とのやり取りを実施する制御部３６の制御系とから成り立ち、ＰＡ部３３を冷却するためのＦＡＮ部３２、および装置の動力となる電源部３７、切替え装置１２と接続される有線回線の取り込み口などが実装されている端子部３８を備えている。
また、ここで示した基地局無線装置１３の全体構成は２チャネル実装型であり、現用／予備構成として使用される場合と、２周波数を割り当て、現用２ｃｈ構成として使用される場合とがある。
また、端子部３８により臨時基地局２０を接続した場合には、指令卓１１より臨時基地局２０に基地局コードを付与することができる。
【００１９】
以上、説明したように、１つの通常の基地局が収容できる移動局の台数は、限られたものであり、災害発生などの緊急時に移動局が増加してしまうような場合であっても、当該基地局に別の周波数を追加して割り当てるというような再構築を行うにはシステム全体の装置構成が複雑となり高価なものとなってしまう。
また、再構築を行えたとしても、無線回線トラフィックが輻輳することになり、指令卓１１〜移動局１４間の通信、通話が十分に行えなくなることもある。
そこで、前述した第１の実施例では、基地局１３の基地局周波数１７（Ｆ１、ｆ１）が設定してあり、その状態で臨時基地局２０を基地局エリア１６と重なるエリアとなるように臨時基地局２０を配置し、応援の移動局１５を使用する。
また、災害発生などにより、設置してある通常の基地局そのものが使用できなくなる場合も想定され、そのような場合に、前述した第２の実施例のように、通常の基地局１３の代替となるように臨時基地局２０を配置することができる。
【００２０】
すなわち、災害が発生した等の緊急時に、応援が必要となった場合にトラフィックの分散を図るべく、通常基地局の機能を持ち合わせた臨時基地局を設置し、自局周波数とは別の周波数を用いたシステム、または自局周波数と同じ周波数を用いたシステムを構成するのに、臨時基地局２０を用いる。
そして臨時基地局２０は、通常の何れの基地局１３の応援、代替とするか同じではないため、使用する周波数は容易に変更できるように、予め各基地局周波数（チャネル）を切り替えて設定する機能を備えており、臨時基地局を配置（仮設）する際に、ＲＯＭ交換などにより周波数データを書き換えるというような手間をかけずに簡易にチャネル設定することができ、迅速な対応が可能となる。
【００２１】
本発明の実施の形態によると、通常時は特定の事業場等に保管され、非常災害時等には被災事業場に運搬・仮設し使用する臨時使用的な基地局無線装置を提供することができ、また、このような臨時基地局において、通常基地局とは異なり容易に使用チャネル（周波数）を変更、設定することができる。
そして、非常災害時などの緊急時に、当該被災区域のエリアに応援移動局が搬入されることが想定される場合に、輻輳対策となる臨時の基地局を使用したＳＣＰＣ方式のデジタル無線システムを構築することができる。
【００２２】
例えば、４００ＭＨｚ帯を使用したＳＣＰＣ方式デジタル移動無線無線システムにおいて、通常時は特定の事業場等に保管され、非常災害時等には被災事業場に運搬・仮設して使用することで、応援の移動局との通信を行い、また、被災事業場の通常の基地局が使用不能となった場合の代替の基地局として稼動させることができる。
そして、被災事業場に複数の応援移動局が搬入される場合、被災局において移動無線回線トラフィックの輻輳を防ぎ、トラフィック分散を図ることができる。
【００２３】
また、この臨時基地局は、送信部（電力増幅部含む）、基本的には受信部、電源部、共用器で構成された、SCPC方式デジタル移動無線システムの臨時局、若しくは、代替局とする装置で、プレストークによる音声通信などの通信サービスを提供することができ、さらに、可搬型のケースに収容され、人や車両による運搬が容易であり、電源供給が可能な任意箇所において臨時局、若しくは、代替局として設営される。
【００２４】
ここで、本発明に係る無線通信システムや指令卓、切替装置、基地局装置や臨時基地局装置の構成としては、必ずしも以上に示したものに限られず、種々な構成が用いられてもよい。
また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
例えば、音声の情報を通信するものばかりでなく、テキストや画像などの種々な情報を通信するものに適用することも可能である。
【図面の簡単な説明】
【００２５】
【図１】本発明の実施の形態に係る臨時基地局の実施例を示す。
【図２】本発明の実施の形態に係るＳＣＰＣ方式のデジタル移動無線システムの第１実施例（応援）を示す。
【図３】本発明の実施の形態に係る固定設置された（通常の）基地局１３の実施例を示す。
【図４】従来のＳＣＰＣ方式のデジタル移動無線システムの一例を示す。
【図５】本発明の実施の形態に係るＳＣＰＣ方式のデジタル移動無線システムの第２実施例（代替）を示す。
【符号の説明】
【００２６】
１：ＦＡＮ部、２：ＰＡ部、３：送受信部、４：操作部、５：電源部、６：外線ＩＦ部、７：共用器部、８：制御部、
１１：指令卓、１２：切替装置、１３：基地局、１４：移動局、１５：移動局(応援)、１６：基地局エリア、１７：基地局周波数（Ｆ１、ｆ１）、１８：移動局間直接通信周波数（ｆ０）、１９：臨時局エリア、２０：臨時基地局、２１：臨時基地局周波数（Ｆ２、ｆ２）、
３１：共用部、３２：ＦＡＮ部、３３：ＰＡ部、３４：送受信部、３５：制御部１、３６：制御部２、３７：電源部、３８：端子部。
【図１】
0004644089.tif 000002
【図２】
0004644089.tif 000003
【図３】
0004644089.tif 000004
【図４】
0004644089.tif 000005
【図５】
0004644089.tif 000006